(57)【要約】【課題】ユーザーが複数の操作キーの操作をスムーズに順次行うことができる濯機を提供する。【解決手段】洗濯機は、洗濯物の複数の処理工程を設定するための複数の操作キーを表示する表示部と、制御装置(４００)とを備え、制御装置(４００)は、ユーザーが操作すべきでない操作キーを表示部に表示させないで、ユーザーが操作すべき操作キーを表示部に順次表示させる操作キー表示制御手段(４００ａ)を有する。【選択図】図５
2014079326.tif 000002
【特許請求の範囲】
【請求項１】
洗濯物の複数の処理工程を設定するための複数の操作キーを表示する表示部と、
制御装置と
を備え、
上記制御装置は、ユーザーが操作すべきでない上記操作キーを上記表示部に表示させないで、ユーザーが操作すべき上記操作キーを上記表示部に順次表示させる操作キー表示制御手段を有することを特徴とする洗濯機。
【請求項２】
請求項１に記載の洗濯機において、
上記操作キー表示制御手段は、既に設定された上記処理工程に係る上記操作キーを上記表示部に表示させないことを特徴とする洗濯機。
【請求項３】
請求項１または２に記載の洗濯機において、
上記操作キーの表示の順序を任意に変更するための表示順序変更手段を備えることを特徴とする洗濯機。
【請求項４】
請求項１から３までのいずれか一項に記載の洗濯機において、
上記操作キーの順次の表示を開始させるための順次表示開始手段を備えることを特徴とする洗濯機。
【請求項５】
請求項１から４までのいずれか一項に記載の洗濯機において、
上記操作キーで設定された上記処理工程の情報を記憶するための情報記憶手段を備え、
上記操作キー表示制御手段は、上記情報記憶手段で記憶された情報を、ユーザーが操作すべき上記操作キーと共に上記表示部に表示させることを特徴とする洗濯機。
【発明の詳細な説明】
【技術分野】
【０００１】
本発明は、ドラム式洗濯機、ドラム式洗濯乾燥機、縦型洗濯機、縦型洗濯乾燥機等、あらゆるタイプの洗濯機に関する。
【背景技術】
【０００２】
従来、洗濯機としては、複数の操作キーと、各操作キーを操作することで選択可能な選択肢を表示する表示部とを備え、選択肢を点滅させることで、その選択肢に対応する操作キーの操作をユーザーに促すものがある(例えば特開２０１１−６７３１０号公報(特許文献１)参照)。
【先行技術文献】
【特許文献】
【０００３】
【特許文献１】特開２０１１−６７３１０号公報
【発明の概要】
【発明が解決しようとする課題】
【０００４】
しかしながら、上記従来の洗濯機では、選択肢が点滅しても、その選択肢に対応する操作キーがどれであるのかは、ユーザーにとって判り難い。
【０００５】
すなわち、ユーザーは、点滅している選択肢を選択したり、その選択肢以外の選択肢を選択したりするのに、どの操作キーを操作すればいいのかが判り難い。
【０００６】
したがって、上記従来の洗濯機には、複数の操作キーの操作をスムーズに行えないという問題がある。
【０００７】
そこで、本発明の課題は、ユーザーが複数の操作キーの操作をスムーズに順次行うことができる濯機を提供することにある。
【課題を解決するための手段】
【０００８】
上記課題を解決するため、本発明の洗濯機は、
洗濯物の複数の処理工程を設定するための複数の操作キーを表示する表示部と、
制御装置と
を備え、
上記制御装置は、ユーザーが操作すべきでない上記操作キーを上記表示部に表示させないで、ユーザーが操作すべき上記操作キーを上記表示部に順次表示させる操作キー表示制御手段を有することを特徴としている。
【０００９】
上記構成によれば、上記操作キー表示制御手段は、ユーザーが操作すべきでない操作キーを表示部に表示させないで視認不可能な状態とし、ユーザーが操作すべき操作キーを表示部に順次表示させるので、どの操作キーを操作すればいいのかが判り易い。したがって、ユーザーは複数の操作キーの操作をスムーズに順次行うことができる。
【００１０】
一実施形態の洗濯機では、
上記操作キー表示制御手段は、既に設定された上記処理工程に関する上記操作キーを上記表示部に表示させない。
【００１１】
上記実施形態によれば、上記操作キー表示制御手段は、既に設定された処理工程に係る操作キーを表示部に表示させないので、ユーザーが操作キーの操作で迷う可能性を低減できる。
【００１２】
一実施形態の洗濯機は、
上記操作キーの表示の順序を任意に変更するための表示順序変更手段を備える。
【００１３】
上記実施形態によれば、上記表示順序変更手段によって、操作キーの表示の順序を任意に変更することができる。したがって、上記操作キーの操作案内をユーザーにあったものにして、使い勝手を向上させることができる。
【００１４】
一実施形態の洗濯機は、
上記操作キーの順次の表示を開始させるための順次表示開始手段を備える。
【００１５】
上記実施形態によれば、上記順次表示開始手段によって、操作キーの表示を開始させることができる。したがって、ユーザーは所望のタイミングで操作キーの操作案内を受けることができる。
【００１６】
一実施形態の洗濯機は、
上記操作キーで設定された上記処理工程の情報を記憶するための情報記憶手段を備え、
上記操作キー表示制御手段は、上記情報記憶手段で記憶された情報を、ユーザーが操作すべき上記操作キーと共に上記表示部に表示させる。
【００１７】
上記実施形態によれば、上記操作キー表示制御手段は、情報記憶手段で記憶された情報を、ユーザーが操作すべき操作キーと共に表示部に表示させるので、ユーザーは、その情報を参考にして、操作キーを操作することができる。したがって、ユーザーは処理工程を適切に設定することが可能になる。
【発明の効果】
【００１８】
本発明の洗濯機は、洗濯物の複数の処理工程を設定するための複数の操作キーを表示する表示部と、制御装置とを備え、この制御装置は、ユーザーが操作すべきでない上記操作キーを上記表示部に表示させないで、ユーザーが操作すべき上記操作キーを上記表示部に順次表示させる操作キー表示制御手段を有することによって、どの操作キーを操作すればいいのかが判り易いので、ユーザーは複数の操作キーの操作をスムーズに順次行うことができる。
【図面の簡単な説明】
【００１９】
【図１】図１は本発明の一実施形態のドラム式洗濯機の概略斜視図である。
【図２】図２は図１のII−II線矢視の概略断面図である。
【図３】図３は図１のIII−III線矢視の概略断面図である。
【図４】図４は上記ドラム式洗濯乾燥機の操作パネルの概略正面図である。
【図５】図５は上記ドラム式洗濯乾燥機の制御ブロック図である。
【図６】図６は上記操作パネルの他の概略正面図である。
【図７】図７は上記操作パネルの他の概略正面図である。
【図８】図８は上記操作パネルの他の概略正面図である。
【図９】図９は上記操作パネルの他の概略正面図である。
【図１０】図１０は上記操作パネルの他の概略正面図である。
【図１１】図１１は上記操作パネルの他の概略正面図である。
【図１２】図１２は上記操作パネルの他の概略正面図である。
【図１３】図１３は上記操作パネルの他の概略正面図である。
【図１４】図１４は上記操作パネルの他の概略正面図である。
【図１５】図１５は上記操作パネルの他の概略正面図である。
【図１６】図１６は上記操作パネルの他の概略正面図である。
【図１７】図１７は上記操作パネルの他の概略正面図である。
【図１８】図１８は上記操作パネルの他の概略正面図である。
【図１９】図１９は上記ドラム式洗濯乾燥機の操作キーの案内を説明するためのフローチャートである。
【図２０】図２０は図１９に続くフローチャートである。
【図２１】図２１は図２０に続くフローチャートである。
【図２２】図２２は図２１に続くフローチャートである。
【図２３】図２３は図２２に続くフローチャートである。
【図２４】図２４は図２３に続くフローチャートである。
【図２５】図２５は図１９に続く他のフローチャートである。
【図２６】図２６は図２０に続く他のフローチャートである。
【図２７】図２７は図２０に続く他のフローチャートである。
【図２８】図２８は図２１に続く他のフローチャートである。
【図２９】図２９は図２２に続く他のフローチャートである。
【図３０】図３０は図２３に続く他のフローチャートである。
【図３１】図３１は図２４に続く他のフローチャートである。
【図３２】図３２は上記操作キーの表示の順序の変更と操作キーに対応する設定値の事前の登録とを説明ためのフローチャートである。
【発明を実施するための形態】
【００２０】
以下、本発明の洗濯機を図示の実施形態により詳細に説明する。
【００２１】
図１は、本発明の一実施形態のドラム式洗濯乾燥機を斜め上方から見た概略図である。
【００２２】
上記ドラム式洗濯乾燥機は、外箱開口部１０６を前面部に有する外箱１０１を備えている。この外箱１０１の上部は天板１１５から成っている一方、外箱１０１の下部は底台１１６から成っている。
【００２３】
上記外箱開口部１０６は、外箱１０１にヒンジで回動自在に取り付けられたドア１０２で開閉されるようになっている。このドア１０２の一部は、回転ドラム１０４内を視認できるようにガラス等の透明部材から成っている。
【００２４】
また、上記外箱１０１の前面部の上部には操作パネル３００が設けられている。この操作パネル３００の裏側(水槽１０３側)には、ドラム式洗濯乾燥機の動作を制御する制御装置４００(図２に示す)が設けられている。そして、上記操作パネル３００への入力により、洗い工程、すすぎ工程、脱水工程、乾燥工程が連続して行われたり、各工程が単独で行われたりする。なお、上記洗い工程、すすぎ工程、脱水工程および乾燥工程は洗濯物の処理工程の一例である。
【００２５】
図２は、図１のII−II線から見た概略断面図である。
【００２６】
上記外箱１０１内には、有底筒形状の水槽１０３と、この水槽１０３内に回転可能に配置された有底円筒形状の回転ドラム１０４と、この回転ドラム１０４内の洗濯物を乾燥させるための乾燥システム２００と、その水槽１０３を弾性支持するサスペンション１１８とが設置されている。
【００２７】
上記水槽１０３は、後部が前部より下がるように配置されている。また、水槽１０３の前面部には、外箱開口部１０６に対向して開口する水槽開口部１０７が設けられている。
【００２８】
また、上記水槽１０３の後面(底部外面)には、制御装置４００からの回転数制御を受けるモータ１１９が取付けられている。このモータ１１９は、ケース１３６と、このケース１３６内に配置されたロータ１３７およびステータ１３８とを有している。このステータ１３８はケース１３６に固定され、ロータ１３７は回転ドラム１０４の槽軸１３９に固定されている。
【００２９】
上記回転ドラム１０４の前面部には、水槽開口部１０７に対向して開口するドラム開口部１０８が設けられている。また、回転ドラム１０４の周壁の全体に渡って複数の小孔１０９(図２，図３では６個のみ図示する)が設けられている。また、回転ドラム１０４も、後部が前部より下がるように配置されている。
【００３０】
上記小孔１０９は、水槽１０３と回転ドラム１０４との間の空間と、回転ドラム１０４内の空間との間で洗濯水(水道水や風呂水等の水、または、洗剤等を含む水)や空気を流通させるための孔である。例えば、回転ドラム１０４が脱水回転すると、回転ドラム１０４内の洗濯水が小孔１０９から回転ドラム１０４外に出る。
【００３１】
また、上記回転ドラム１０４の内壁面には、半径方向内側に向かって突出するバッフル１２０が設けられている。このバッフル１２０は、周方向に例えば１２０°間隔で３ヶ所に配置されている。このようなバッフル１２０により、回転ドラム１０４の回転に伴って、洗濯物の持上げと落下とが繰り返される。例えば、洗い工程で回転ドラム１０４を回転させると、洗濯物をバッフル１２０で引っかけて持上げ、その持ち上げた洗濯物を洗濯液中に落下させることにより、洗濯物を洗浄できる。
【００３２】
また、上記ドラム１０３の前面部には、ドラム開口部１０８を外側から取り囲むように流体バランサ１２１が取り付けられている。
【００３３】
上記水槽１０３内の空間下部には送風ダクト２０３が配置されている。この送風ダクト２０３の前側の端部は、水槽開口部１０７の下縁とドラム開口部１０８の下縁との間に位置する送風口２０５となっている。一方、送風ダクト２０３の後側の端部は、ファンケース２０６の吹出口２０７に接続されている。
【００３４】
上記送風ダクト２０３内には、吹出口２０７からの空気を加熱する加熱装置２０２が配置されている。この加熱装置２０２は、ヒータケース２０８と、このヒータケース２０８に大部分が収容されたシーズヒータ２０９とで構成されている。
【００３５】
上記ヒータケース２０８は、金属製の本体と、その本体を固定する耐熱樹脂製のフレームとで構成されている。このフレームが送風ダクト２０３に連結している。
【００３６】
上記シーズヒータ２０９は、一部が水槽１０３内の洗濯水に浸かるように配置されているため、水槽１０３内の洗濯水を加熱することができる。
【００３７】
上記水槽開口部１０７には、ゴムや軟質樹脂等の弾性体からなるパッキン１０５が固着されている。これにより、ドア１０２を閉じると、ドア１０２がパッキン１０５に密着するから、水槽１０３内の液体が水槽１０３外へ漏れ出るのを防ぐことができる。
【００３８】
上記パッキン１０５は外箱開口部１０６と水槽開口部１０７とを接続しており、このパッキン１０５の内側の空間を洗濯物が通過する。つまり、上記パッキン１０５は、洗濯物を出し入れするアクセス路を形成する。また、パッキン１０５には蛇腹等が設けられ、水槽１０３の揺動に応じてたわみを生じて追従するようになっている。
【００３９】
上記水槽１０３の上部には、水槽１０３内に洗濯水を給水するための給水ダクト１１２の下端部が接続されている。一方、給水ダクト１１２の上端部は洗剤ケース１１１の下部に接続されている。この洗剤ケース１１１は、洗剤、漂白剤および柔軟剤を収容するものである。また、上記洗剤ケース１１１内には、給水接続口１２２からの水道水が給水される。
【００４０】
上記給水接続口１２２には水道の蛇口(図示せず)からの水道水が供給される。そして、給水接続口１２２に入った水道水は、洗濯用給水弁１２３の開放によって洗濯用給水路１２４を流れたり、乾燥用給水弁１２５の開放によって乾燥用給水路１２６を流れたりする。
【００４１】
上記洗濯用給水路１２４は、一端が洗濯用給水弁１２３に接続され、かつ、他端が洗剤ケース１１１に接続されている。
【００４２】
上記乾燥用給水路１２６は、一端が乾燥用給水弁１２５に接続され、かつ、他端が冷却ノズル１２７(図３に示す)に接続されている。より詳しくは、乾燥工程時、乾燥用給水弁１２５が開放し、水道水が乾燥用給水路１２６を流れて冷却ノズル１２７に到達する。
【００４３】
一方、上記水槽１０３の下部には、送風ダクト２０３と連通し水槽１０３内の洗濯水を排水するための排水口１２８が設けられている。この排水口１２８は送風機２０１の下流側に位置している。また、排水口１２８には排水ダクト１２９の上端部が接続されている。一方、排水ダクト１２９の下端部は、フィルタ装置１３０を介して排水ホース１３１に接続されている。また、排水ダクト１２９を流れる液体は、フィルタ装置１３０を通ってから排水ホース１３１に流入できるようになっている。
【００４４】
上記排水ホース１３１には、排水モータ１３３によって開閉される排水弁１３４が設けられている。この排水弁１３４は、排水ダクト１２９の洗濯水を排水ホース１３１へ流すときには開放する一方、排水ダクト１２９の洗濯水を排水ホース１３１へ流さないときには閉鎖するように制御される。
【００４５】
上記乾燥システム２００は、送風機２０１と、加熱装置２０２と、送風ダクト２０３と、後述する除湿用熱交換器２０４(図３に示す)とを有している。
【００４６】
図３は、図１のIII−III線から見た概略断面図である。
【００４７】
上記除湿用熱交換器２０４は、水槽１０３の後面下部に取り付けられた送風機２０１の上流側に配置されている。この除湿用熱交換器２０４は、前部が後部よりも高くなるように配置された金属プレート２１１と、この金属プレート２１１の両側部に取り付けられたステンレス製の固定部材２１２とを有している。
【００４８】
また、上記除湿用熱交換器２０４と送風機２０１との間の除湿用経路２１４には、金属糸を編んで網状としたフィルタ２１０が設置されている。
【００４９】
上記金属プレート２１１の前端部の上方には、冷却ノズル１２７が配置されている。乾燥工程時には、この冷却ノズル１２７から供給された水道水が金属プレート２１１の上面を流れて金属プレート２１１を冷却する。これにより、上記水道水および金属プレート２１１が、送風機２０１へ向かって流れる空気を冷却して、この空気が含む水分を効果的に凝縮させる。
【００５０】
上記送風機２０１は、水槽１０３の後面の下部に取り付けられている。そして、上記送風機２０１は、ファンケース２０６と、このファンケース２０６内に回転自在に配置された送風ファン２１２と、この送風ファン２１２を回転駆動するモータ２１３とを有している。この送風ファン２１２の回転駆動によって、除湿用熱交換器２０４で除湿された空気をファンケース２０６内に吸い込むことができる。
【００５１】
図４は上記操作パネル３００の概略正面図である。なお、図４では、表示部３０５の表示を説明するため、使い方キー３０７などの全ての操作キーを表示状態にしている。
【００５２】
上記操作パネル３００には、電源入スイッチ３０１、電源切スイッチ３０２、スタート一時停止スイッチ３０３およびロック解除スイッチ３０４が設けられている。この電源切スイッチ３０２、電源入スイッチ３０１、スタート一時停止スイッチ３０３およびロック解除スイッチ３０４のそれぞれは、タクトスイッチ(機械式スイッチ)からなっている。また、操作パネル３００は、タッチパネル３０６を表側に有する一方、ＬＥＤなどからなる表示部３０６を裏側に有している。
【００５３】
上記表示部３０６は、洗い工程、すすぎ工程、脱水工程および乾燥工程を設定するための複数の操作キーを表示する。より詳しくは、表示部３０６では、使い方キー３０７、コースキー３０８、ナビキー３０９、予約キー３１０、ふろ水キー３１１、除菌・防臭キー３１２、槽クリーンキー３１３、すすぎ１回キー３１４、洗いキー３１５、すすぎキー３１６、脱水キー３１７、乾燥キー３１８、ダウンキー３１９およびアップキー３２０が表示したりしなかったりする。なお、使い方キー３０７、コースキー３０８、ナビキー３０９、予約キー３１０、ふろ水キー３１１、除菌・防臭キー３１２、槽クリーンキー３１３、すすぎ１回キー３１４、洗いキー３１５、すすぎキー３１６、脱水キー３１７、乾燥キー３１８、ダウンキー３１９およびアップキー３２０は、操作キーの一例である。また、ナビキー３０９は、表示順序変更手段および順次表示開始手段の一例でもある。
【００５４】
また、上記表示部３０６は、ロック解除スイッチ３０４の操作で表示または非表示にされるドアロック表示部３２１と、使い方キー３０７の操作で表示または非表示にされる使い方表示部３２２と、コースキー３０８の操作で表示または非表示にされるコース表示部３２３と、予約キー３１０の操作で表示または非表示にされる予約表示部３２４と、ふろ水キー３１１の操作で表示または非表示にされるふろ水表示部３２５と、除菌・防臭キー３１２の操作で表示または非表示にされる除菌防臭表示部３２６と、槽クリーンキー３１３の操作で表示または非表示にされる槽クリーン表示部３２７と、すすぎ１回キー３１４の操作で表示または非表示にされるすすぎ１回表示部３２８とを含んでいる。また、表示部３０６は、洗いキー３１５、すすぎキー３１６、脱水キー３１７、乾燥キー３１８、ダウンキー３１９およびアップキー３２０の操作に関する情報を表示する時間等表示部３２９を含んでいる。本実施形態において、ロック解除スイッチ３０４の操作とは、ロック解除スイッチ３０４を１回または複数回押すことを意味する。また、使い方キー３０７などの操作とは、使い方キー３０７などに１回または複数回タッチするか、または、使い方キー３０７などを１回または複数回押すことを意味する。
【００５５】
図５は上記ドラム式洗濯乾燥機の制御ブロック図である。
【００５６】
上記制御装置４００は、ＣＰＵ(中央処理装置)、ＲＡＭ(ランダム アクセス メモリ)、ＲＯＭ(リード オンリー メモリ)およびタイマなどを有するマイクロコンピュータや、入出力回路などで構成されている。この制御装置４００には、水位センサ１１３,操作パネル３００,モータ１１９,洗濯用給水弁１２３,乾燥用給水弁１２５,排水モータ１３３,回転センサ１４９,温度センサ１５０，プラズマクラスターイオン発生装置１５１,送風機２０１および加熱装置２０２などが接続されている。また、制御装置４００は、水位センサ１１３,操作パネル３００および回転センサ１４９,温度センサ１５０などからの信号に基づいて、モータ１１９,洗濯用給水弁１２３,乾燥用給水弁１２５,排水モータ１３３,プラズマクラスターイオン発生装置１５１,送風機２０１および加熱装置２０２などを制御する。なお、上記ＲＡＭは不揮発性メモリである。
【００５７】
また、上記制御装置４００は、ユーザーが操作すべきでないキーを表示部３０６に表示させないで視認不可能な状態とし、ユーザーが操作すべき例えば使い方キー３０７などを表示部３０６に順次表示させる操作キー表示制御部４００ａを有する。この操作キー表示制御部４００ａは、既に設定された洗い工程などに係る洗いキー３１５などを表示部３０６に表示させない。また、操作キー表示制御部４００ａはソフトウェアで構成されている。なお、操作キー表示制御部４００ａは操作キー表示制御手段の一例である。
【００５８】
また、上記制御装置４００は、例えば洗いキー３１５などで設定された例えば洗い工程などの情報を記憶するための情報記憶部４００ｂを有している。この情報記憶部４００ｂはソフトウェアで構成されている。なお、情報記憶部４００ｂは情報記憶手段の一例である。
【００５９】
また、上記操作キー表示制御部４００ａは、情報記憶部４００ｂで記憶された情報を、ユーザーが操作すべき例えば洗いキー３１５などと共に表示部３０６に表示させる。
【００６０】
以下、図６〜図１８を用いて、操作キー表示制御部４００ａによる使い方キー３０７などの案内表示の一例について説明する。
【００６１】
上記ドラム式洗濯乾燥機が電源オフ状態のとき、操作パネル３００は、図６に示すように、使い方キー３０７などの全ての操作キーが非表示となっている。
【００６２】
次に、上記電源入スイッチ３０１を押すと、ドラム式洗濯乾燥機が電源オン状態になって、図７に示すように、略全部の操作キーが表示される。
【００６３】
次に、上記ナビキー３０９を押すと、図８に示すように、使い方キー３０７およびナビキー３０９が表示される。このとき、使い方表示部３２２は「洗濯〜乾燥」を表示しているが、使い方キー３０７の操作により、使い方表示部３２２の表示の「洗濯〜乾燥」を、「リフレッシュ」、「お手入れ」、「個別運転」、「洗濯」および「乾燥」のいずれか一つを使い方表示部３２２に表示させることができるようになっている。
【００６４】
次に、上記使い方キー３０７を操作して、使い方表示部３２２に「洗濯」を表示させてから、予め設定された時間(例えば３秒)が経過すると、図９に示すように、使い方キー３０７が非表示になる一方、コースキー３０８が表示される。このとき、ナビキー３０９と、使い方表示部３２２の「洗濯」とは非表示にならず、コース表示部３２３は「標準」を表示する。ここで、コースキー３０８を操作することにより、コース表示部３２３の「標準」を、「静止」、「回転」、「ドライ」、「毛布」、「室内干し」、「念入り」、「柔らか」、「自分流」および「快速」のいずれか１つに変更することができるようになっている。
【００６５】
次に、上記コースキー３０８を操作して、コース表示部３２３に「念入り」を表示させてから、予め設定された時間(例えば３秒)が経過すると、図１０に示すように、コースキー３０８が非表示になる一方、洗いキー３１５、ダウンキー３１９およびアップキー３２０が表示される。このとき、ナビキー３０９と、使い方表示部３２２の「洗濯」と、コース表示部３２３の「念入り」とは表示が維持される。
【００６６】
次に、上記ダウンキー３１９またはアップキー３２０を操作して、図１１に示すように、時間等表示部３２９に「７分」を表示させる。
【００６７】
その後、上記時間等表示部３２９が「７分」を表示してから、予め設定された時間(例えば３秒)が経過すると、図１２に示すように、洗いキー３１５と、時間等表示部３２９の「７分」とが非表示になる一方、すすぎキー３１６が表示される。このとき、ナビキー３０９と、ダウンキー３１９と、アップキー３２０と、使い方表示部３２２の「洗濯」と、コース表示部３２３の「念入り」とは表示が維持される。
【００６８】
次に、上記ダウンキー３１９またはアップキー３２０を操作して、図１３に示すように、時間等表示部３２９に「注水２回」を表示させる。
【００６９】
その後、上記時間等表示部３２９が「注水２回」を表示してから、予め設定された時間(例えば３秒)が経過すると、図１４に示すように、すすぎキー３１６と、時間等表示部３２９の「注水２回」とが非表示になる一方、脱水キー３１７が表示される。このとき、ナビキー３０９と、ダウンキー３１９と、アップキー３２０と、使い方表示部３２２の「洗濯」と、コース表示部３２３の「念入り」とは表示が維持される。
【００７０】
次に、上記ダウンキー３１９またはアップキー３２０を操作して、図１５に示すように、時間等表示部３２９に「８分」を表示させる。
【００７１】
その後、上記時間等表示部３２９が「８分」を表示してから、予め設定された時間(例えば３秒)が経過すると、図１６に示すように、脱水キー３１７と、ダウンキー３１９と、アップキー３２０と、時間等表示部３２９の「８分」とが非表示になる一方、ふろ水キー３１１が表示される。このとき、ふろ水表示部３２５は何も表示していないが、、図１７に示すように、ふろ水キー３１１の操作により、ふろ水表示部３２５に、「洗い」または「すすぎ」の少なくとも一方を表示させることができるようになっている。また、ナビキー３０９と、使い方表示部３２２の「洗濯」と、コース表示部３２３の「念入り」とは表示が維持される。
【００７２】
その後、上記ふろ水表示部３２５に「洗い」および「すすぎ」を表示させてから、予め設定された時間(例えば３秒)が経過すると、図１８に示すように、スタート一時停止スイッチ３０３の周縁部が点灯する。このスタート一時停止スイッチ３０３を押せば、ふろ水を使用する洗い工程が７分、ふろ水を使用するすすぎ工程が２回、脱水工程が８分、が順次念入りに行われる。
【００７３】
このように、ユーザーが操作すべき操作キーが表示部３０６に順次表示されるので、どの操作キーを操作すればいいのかが判り易い。したがって、ユーザーは複数の操作キーの操作をスムーズに順次行うことができる。
【００７４】
また、既に設定された処理工程に係る操作キーは表示部３０６に表示されないので、ユーザーが操作キーの操作で迷う可能性を低減できる。具体的に言えば、例えば使い方が設定された後、使い方キー３０７は表示部３０６に表示されないので、ユーザーはコースキー３０８を操作すべきことに容易に気付くことができる。
【００７５】
また、上記操作キー順次の表示はナビキー３０９の操作しなければ開始されない。したがって、したがって、ユーザーは所望のタイミングで操作キーの操作案内を受けることができる。
【００７６】
以下、図１９〜図３１のフローチャートにしたがって、制御装置４００による表示制御について説明する。また、以下の説明で、操作キーの操作および選択とは、操作キーに１回または複数回タッチするか、または、操作キーを１回または複数回押すことを意味する。
【００７７】
上記表示制御はドラム式洗濯乾燥機の電源オンに応じてスタートし、まず、図１９に示すように、ステップＳ１０１で、ナビキー３０９の操作があったか否かを判定する。このステップＳ１０１で、ナビキー３０９の操作があったと判定されると、ステップＳ１０２に進む一方、ナビキー３０９の操作がないと判定されると、再び、ステップＳ１０１を行う。なお、上記ナビキー３０９の操作は、後述するステップＳ９０１のナビキー３０９の長押しを含まない。
【００７８】
次に、ステップＳ１０２で、表示部３０６に使い方キー３０７を表示させる。
【００７９】
次に、ステップＳ１０３で、ユーザーによって事前に登録された使い方があるか否かを判定する。具体的には、ユーザーが、「リフレッシュ」、「お手入れ」、「個別運転」、「洗濯」、「乾燥」および「洗濯〜乾燥」のうちいずれかを事前に登録しているか否かを判定する。このステップＳ１０３で、「リフレッシュ」、「お手入れ」、「個別運転」、「洗濯」、「乾燥」および「洗濯〜乾燥」のうちいずれかが事前に登録されていると判定されると、ステップＳ１０４に進む一方、その登録がないと判定されると、図２５のステップＳ２０１に進む。このステップＳ２０１に進んだ場合については後で詳述する。
【００８０】
次に、図１９に示すように、ステップＳ１０４で、使い方キー３０７の操作により、ユーザーによって事前に登録された使い方が表示部３０６に表示された状態で、予め設定された時間(例えば３秒)が経過したか否かを判定する。このステップＳ１０４で、使い方キー３０７の操作により、ユーザーによって事前に登録された使い方が表示部３０６に表示された状態で、予め設定された時間が経過したと判定されると、ステップＳ１０５に進む一方、その状態で、上記予め設定された時間が経過していないと判定されると、ステップＳ１５１に進む。
【００８１】
上記ステップＳ１５１では、ナビキー３０９の操作があったか否かを判定する。このステップＳ１５１で、ナビキー３０９の操作があったと判定されると、ステップＳ１０５に進む一方、ナビキー３０９の操作がないと判定されると、ステップＳ１０４に戻る。
【００８２】
次に、ステップＳ１０５で、表示部３０６にコースキー３０８を表示させる。このとき、使い方キー３０７は非表示にされるが、ステップＳ１０４、ステップＳ１５１またはステップＳ２０１またはステップＳ２５１からステップＳ１０５に進むときに、使い方表示部３２２に表示されていた使い方の表示は維持される。
【００８３】
次に、図２０に示すように、ステップＳ１０６で、ユーザーによって事前に登録されたコースがあるか否かを判定する。具体的には、ユーザーによって、「静止」、「回転」、「ドライ」、「毛布」、「室内干し」、「念入り」、「柔らか」、「自分流」、「標準」および「快速」のうちいずれか１つが事前に登録されているか否かを判定する。このステップＳ１０６で、ユーザーによって、「静止」、「回転」、「ドライ」、「毛布」、「室内干し」、「念入り」、「柔らか」、「自分流」、「標準」および「快速」のうちいずれか１つが事前に登録されていると判定されると、ステップＳ１０７に進む一方、その登録がないと判定されると、図２６のステップＳ３０１に進む。このステップＳ３０１に進んだ場合については後で詳述する。
【００８４】
次に、図２０に示すように、ステップＳ１０７で、コースキー３０８の操作により、ユーザーによって事前に登録されたコースが表示部３０６に表示された状態で、予め設定された時間(例えば３秒)が経過したか否かを判定する。このステップＳ１０７で、コースキー３０８の操作により、ユーザーによって事前に登録されたコースが表示部３０６に表示された状態で、予め設定された時間が経過したと判定されると、ステップＳ１０８に進む一方、その状態で、上記予め設定された時間が経過していないと判定されると、ステップＳ１５２に進む。
【００８５】
上記ステップＳ１５２では、ナビキー３０９の操作があったか否かを判定する。このステップＳ１５２で、ナビキー３０９の操作があったと判定されると、ステップＳ１０８に進む一方、ナビキー３０９の操作がないと判定されると、ステップＳ１０７に戻る。
【００８６】
次に、ステップＳ１０８で、表示部３０６に洗いキー３１５を表示させる。このとき、ダウンキー３１９またはアップキー３２０も表示されるが、コースキー３０８は非表示にされる。また、ステップＳ１０７、ステップＳ１５２、ステップＳ３０１またはステップＳ３５１からステップＳ１０８に進むときに、使い方表示部３２２に表示されていた使い方の表示は維持されると共に、コース表示部３２３に表示されていたコースの表示も維持される。
【００８７】
次に、ステップＳ１０９で、ユーザーによって事前に登録された洗い時間があるか否かを判定する。このステップＳ１０９で、ユーザーによって事前に登録された洗い時間があると判定されると、図２１のステップＳ１１０に進む一方、ユーザーによって事前に登録された洗い時間がないと判定されると、図２７のステップＳ４０１に進む。このステップＳ４０１に進んだ場合については後で詳述する。
【００８８】
次に、図２１に示すように、ステップＳ１１０で、ダウンキー３１９またはアップキー３２０の操作により、ユーザーによって事前に設定された洗い時間が表示された状態で、予め設定された時間(例えば３秒)が経過したか否を判定する。このステップＳ１１０で、ダウンキー３１９またはアップキー３２０の操作により、ユーザーによって事前に設定された洗い時間が表示された状態で、予め設定された時間が経過したと判定されると、ステップＳ１１１に進む一方、その状態で、上記予め設定された時間が経過していないと判定されると、ステップＳ１５３に進む。
【００８９】
上記ステップＳ１５３では、ナビキー３０９の操作があったか否かを判定する。このステップＳ１５３で、ナビキー３０９の操作があったと判定されると、ステップＳ１１１に進む一方、ナビキー３０９の操作がないと判定されると、ステップＳ１１０に戻る。
【００９０】
次に、ステップＳ１１１で、表示部３０６にすすぎキー３１６を表示させる。このとき、ステップＳ１１０、ステップＳ１５３、ステップＳ４０１またはステップＳ４５１からステップＳ１１１に進むときに、時間等表示部３２９に表示されていた洗い時間や、洗いキー３１５を非表示にするが、ダウンキー３１９またはアップキー３２０の表示は維持する。なお、使い方表示部３２２に表示されていた使い方の表示、および、コース表示部３２３に表示されていたコースの表示も維持する。
【００９１】
次に、ステップＳ１１２で、ユーザーによって事前に登録されたすすぎ回数があるか否かを判定する。このステップＳ１１２で、ユーザーによって事前に登録されたすすぎ回数があると判定されると、ステップＳ１１３に進む一方、ユーザーによって事前に登録されたすすぎ回数がないと判定されると、図２８のステップＳ５０１に進む。このステップＳ５０１に進んだ場合については後で詳述する。
【００９２】
次に、図２１に示すように、ステップＳ１１３で、ダウンキー３１９またはアップキー３２０の操作により、ユーザーによって事前に設定されたすすぎ回数が表示された状態で、予め設定された時間(例えば３秒)が経過したか否を判定する。このステップＳ１１３で、ダウンキー３１９またはアップキー３２０の操作により、ユーザーによって事前に設定されたすすぎ回数が表示された状態で、予め設定された時間が経過したと判定されると、図２２のステップＳ１１４に進む一方、その状態で、上記予め設定された時間が経過していないと判定されると、図２１のステップＳ１５４に進む。
【００９３】
上記ステップＳ１５４では、ナビキー３０９の操作があったか否かを判定する。このステップＳ１５４で、ナビキー３０９の操作があったと判定されると、図２２のステップＳ１１４に進む一方、ナビキー３０９の操作がないと判定されると、図２１のステップＳ１１３に戻る。
【００９４】
次に、図２２に示すように、ステップＳ１１４で、表示部３０６に脱水キー３１７を表示させる。このとき、すすぎキー３１６と、ステップＳ１１３、ステップＳ１５４、ステップＳ５０１またはステップＳ５５１からステップＳ１１１に進むときに、時間等表示部３２９に表示されていたすすぎ回数や、すすぎキー３１６を非表示にするが、ダウンキー３１９またはアップキー３２０の表示は維持する。なお、使い方表示部３２２に表示されていた使い方の表示、および、コース表示部３２３に表示されていたコースの表示も維持する。
【００９５】
次に、ステップＳ１１５で、ユーザーによって事前に登録された脱水時間があるか否かを判定する。このステップＳ１１５で、ユーザーによって事前に登録された脱水時間があると判定されると、ステップＳ１１６に進む一方、ユーザーによって事前に登録された脱水時間がないと判定されると、図２９のステップＳ６０１に進む。このステップＳ６０１に進んだ場合については後で詳述する。
【００９６】
次に、ステップＳ１１６で、ダウンキー３１９またはアップキー３２０の操作により、ユーザーによって事前に設定された脱水時間が表示された状態で、予め設定された時間(例えば３秒)が経過したか否を判定する。このステップＳ１１３で、ダウンキー３１９またはアップキー３２０の操作により、ユーザーによって事前に設定された脱水時間が表示された状態で、予め設定された時間が経過したと判定されると、図２３のステップＳ１１７に進む一方、その状態で、上記予め設定された時間が経過していないと判定されると、図２２のステップＳ１５５に進む。
【００９７】
上記ステップＳ１５５では、ナビキー３０９の操作があったか否かを判定する。このステップＳ１５５で、ナビキー３０９の操作があったと判定されると、図２３のステップＳ１１７に進む一方、ナビキー３０９の操作がないと判定されると、図２２のステップＳ１１６に戻る。
【００９８】
次に、図２３に示すように、ステップＳ１１７で、表示部３０６にふろ水キー３１１を表示させる。このとき、ステップＳ１１６、ステップＳ１５５、ステップＳ６０１またはステップＳ６５１からステップＳ１１７に進むときの時間等表示部３２９の脱水時間、脱水キー３１７、ダウンキー３１９およびアップキー３２０を非表示にする。なお、使い方表示部３２２に表示されていた使い方の表示、および、コース表示部３２３に表示されていたコースの表示は維持する。
【００９９】
次に、ステップＳ１１８で、ユーザーによって事前に登録されたふろ水設定があるか否かを判定する。このステップＳ１１８で、ユーザーによって事前に登録されたふろ水設定があると判定されると、ステップＳ１１９に進む一方、ユーザーによって事前に登録されたふろ水設定がないと判定されると、図３０のステップＳ７０１に進む。このステップＳ７０１に進んだ場合については後で詳述する。
【０１００】
次に、図２３に示すように、ステップＳ１１９で、ふろ水キー３１１の操作により、ユーザーによって予め設定されたふろ水設定が表示部３０６に表示された状態で、予め設定された時間(例えば３秒)が経過したか否かを判定する。このステップＳ１１９で、ふろ水キー３１１の操作により、ユーザーによって予め設定されたふろ水設定が表示部３０６に表示された状態で、予め設定された時間が経過したと判定されると、図２４のステップＳ１２０に進む一方、その状態で、上記予め設定された時間が経過していないと判定すると、図２３のステップＳ１５６に進む。
【０１０１】
上記ステップＳ１５６では、ナビキー３０９の操作があったか否かを判定する。このステップＳ１５６で、ナビキー３０９の操作があったと判定されると、図２４のステップＳ１２０に進む一方、ナビキー３０９の操作がないと判定されると、図２３のステップＳ１１９に戻る。
【０１０２】
次に、図２４に示すように、ステップＳ１２０で、乾燥を行う予定であるか否かを判定する。すなわち、ステップＳ１２０で、洗濯物の乾燥を行うための設定がされているか否かを判定する。このステップＳ１２０で、洗濯物の乾燥を行うための設定がされていないと判定すると、ステップＳ１２４に進む。なお、洗濯物の乾燥を行うための設定がされている場合としては、例えば、使い方キー３０７の操作により、使い方表示部３２２に「洗濯〜乾燥」を表示させている場合がある。
【０１０３】
次に、ステップＳ１２１で、表示部３０６に乾燥キー３１８を表示させる。このとき、ふろ水キー３１１を非表示にするが、ステップＳ１１９、ステップＳ１５６、ステップＳ７０１またはステップＳ７５１からステップＳ１２０に進むときにふろ水表示３２５に表示されたふろ水設定の表示は維持される。なお、使い方表示部３２２に表示されていた使い方の表示、および、コース表示部３２３に表示されていたコースの表示も維持される。
【０１０４】
次に、ステップＳ１２２で、ユーザーによって事前に登録された乾燥時間があるか否かを判定する。このステップＳ１２２で、ユーザーによって事前に登録された乾燥時間があると判定されると、ステップＳ１２３に進む一方、ユーザーによって事前に登録された乾燥時間がないと判定されると、図３１のステップＳ８０１に進む。このステップＳ８０１に進んだ場合については後で詳述する。
【０１０５】
次に、ステップＳ１２３で、ダウンキー３１９またはアップキー３２０の操作により、ユーザーによって事前に設定された乾燥時間が表示された状態で、予め設定された時間(例えば３秒)が経過したか否を判定する。このステップＳ１２３で、ダウンキー３１９またはアップキー３２０の操作により、ユーザーによって事前に設定された乾燥時間が表示された状態で、予め設定された時間が経過したと判定されると、ステップＳ１２４に進む一方、その状態で、上記予め設定された時間が経過していないと判定されると、ステップＳ１５７に進む。
【０１０６】
上記ステップＳ１５７では、ナビキー３０９の操作があったか否かを判定する。このステップＳ１５７で、ナビキー３０９の操作があったと判定されると、ステップＳ１２４に進む一方、ナビキー３０９の操作がないと判定されると、ステップＳ１２３に戻る。
【０１０７】
最後に、ステップＳ１２４で、スタート一時停止スイッチ３０３の周縁部を点灯させる。
【０１０８】
上記ステップＳ１０３からステップＳ２０１に進んだ場合、まず、図２５に示すように、ステップＳ２０１で、使い方キー３０７の操作により、メーカー推奨の使い方が使い方表示部３２２に表示された状態で、予め設定された時間(例えば３秒)が経過したか否かを判定する。このステップＳ２０１で、使い方キー３０７の操作により、メーカー推奨の使い方が使い方表示部３２２に表示された状態で、予め設定された時間が経過したと判定されると、図１９のステップＳ１０５に進む一方、その状態で、上記予め設定された時間が経過していないと判定されると、図２５のステップＳ２５１に進む。なお、メーカー推奨の使い方は、ドラム式洗濯乾燥機の製造時に予め設定された使い方であってもよいし、ドラム式洗濯乾燥機の出荷後に例えばインターネットを介して設定された使い方であってもよい。
【０１０９】
上記ステップＳ２５１では、ナビキー３０９の操作があったか否かを判定する。このステップＳ２５１で、ナビキー３０９の操作があったと判定されると、図１９のステップＳ１０５に進む一方、ナビキー３０９の操作がないと判定されると、図２５のステップＳ２０１に戻る。
【０１１０】
上記ステップＳ１０６からステップＳ３０１に進んだ場合、まず、図２６に示すように、ステップＳ３０１で、コースキー３０８の操作により、メーカー推奨のコースがコース表示部３２３に表示された状態で、予め設定された時間(例えば３秒)が経過したか否かを判定する。このステップＳ３０１で、コースキー３０８の操作により、メーカー推奨のコースがコース表示部３２３に表示された状態で、予め設定された時間が経過したと判定されると、図２０のステップＳ１０８に進む一方、その状態で、上記予め設定された時間が経過していないと判定されると、図２６のステップＳ３５１に進む。なお、メーカー推奨のコースは、ドラム式洗濯乾燥機の製造時に予め設定されたコースであってもよいし、ドラム式洗濯乾燥機の出荷後に例えばインターネットを介して設定されたコースであってもよい。
【０１１１】
上記ステップＳ３５１では、ナビキー３０９の操作があったか否かを判定する。このステップＳ３５１で、ナビキー３０９の操作があったと判定されると、図２０のステップＳ１０８に進む一方、ナビキー３０９の操作がないと判定されると、図２５のステップＳ３０１に戻る。
【０１１２】
上記ステップＳ１０９からステップＳ４０１に進んだ場合、まず、図２７に示すように、ステップＳ４０１で、ダウンキー３１９またはアップキー３２０の操作により、メーカー推奨の洗い時間が時間等表示部３２９に表示された状態で、予め設定された時間(例えば３秒)が経過したか否かを判定する。このステップＳ４０１で、ダウンキー３１９またはアップキー３２０の操作により、メーカー推奨の洗い時間が時間等表示部３２９に表示された状態で、予め設定された時間が経過したと判定されると、図２１のステップＳ１１１に進む一方、その状態で、上記予め設定された時間が経過していないと判定されると、図２７のステップＳ４５１に進む。なお、メーカー推奨の洗い時間は、ドラム式洗濯乾燥機の製造時に予め設定された洗い時間であってもよいし、ドラム式洗濯乾燥機の出荷後に例えばインターネットを介して設定された洗い時間であってもよい。
【０１１３】
上記ステップＳ４５１では、ナビキー３０９の操作があったか否かを判定する。このステップＳ４５１で、ナビキー３０９の操作があったと判定されると、図２１のステップＳ１１１に進む一方、ナビキー３０９の操作がないと判定されると、図２７のステップＳ４０１に戻る。
【０１１４】
上記ステップＳ１１２からステップＳ５０１に進んだ場合、まず、図２８に示すように、ステップＳ５０１で、ダウンキー３１９またはアップキー３２０の操作により、メーカー推奨のすすぎ回数が時間等表示部３２９に表示された状態で、予め設定された時間(例えば３秒)が経過したか否かを判定する。このステップＳ５０１で、ダウンキー３１９またはアップキー３２０の操作により、メーカー推奨のすすぎ回数が時間等表示部３２９に表示された状態で、予め設定された時間が経過したと判定されると、図２２のステップＳ１１４に進む一方、その状態で、上記予め設定された時間が経過していないと判定されると、図２８のステップＳ５５１に進む。なお、メーカー推奨のすすぎ回数は、ドラム式洗濯乾燥機の製造時に予め設定されたすすぎ回数であってもよいし、ドラム式洗濯乾燥機の出荷後に例えばインターネットを介して設定されたすすぎ回数であってもよい。
【０１１５】
上記ステップＳ５５１では、ナビキー３０９の操作があったか否かを判定する。このステップＳ５５１で、ナビキー３０９の操作があったと判定されると、図２２のステップＳ１１４に進む一方、ナビキー３０９の操作がないと判定されると、図２８のステップＳ５０１に戻る。
【０１１６】
上記ステップＳ１１５からステップＳ６０１に進んだ場合、まず、図２９に示すように、ステップＳ６０１で、ダウンキー３１９またはアップキー３２０の操作により、メーカー推奨の脱水時間が時間等表示部３２９に表示された状態で、予め設定された時間(例えば３秒)が経過したか否かを判定する。このステップＳ６０１で、ダウンキー３１９またはアップキー３２０の操作により、メーカー推奨の脱水時間が時間等表示部３２９に表示された状態で、予め設定された時間が経過したと判定されると、図２３のステップＳ１１７に進む一方、その状態で、上記予め設定された時間が経過していないと判定されると、図２９のステップＳ６５１に進む。なお、メーカー推奨の脱水時間は、ドラム式洗濯乾燥機の製造時に予め設定された脱水時間であってもよいし、ドラム式洗濯乾燥機の出荷後に例えばインターネットを介して設定された脱水時間であってもよい。
【０１１７】
上記ステップＳ６５１では、ナビキー３０９の操作があったか否かを判定する。このステップＳ６５１で、ナビキー３０９の操作があったと判定されると、図２３のステップＳ１１７に進む一方、ナビキー３０９の操作がないと判定されると、図２９のステップＳ６０１に戻る。
【０１１８】
上記ステップＳ１１８からステップＳ７０１に進んだ場合、まず、図３０に示すように、ステップＳ７０１で、ふろ水キー３１１の操作により、メーカー推奨のふろ水設定がふろ水表示部３２５に表示された状態で、予め設定された時間(例えば３秒)が経過したか否かを判定する。このステップＳ７０１で、ふろ水キー３１１の操作により、メーカー推奨のふろ水設定がふろ水表示部３２５に表示された状態で、予め設定された時間が経過したと判定されると、図２４のステップＳ１２０に進む一方、その状態で、上記予め設定された時間が経過していないと判定されると、図３０のステップＳ７５１に進む。なお、メーカー推奨のふろ水設定は、ドラム式洗濯乾燥機の製造時に予め設定されたふろ水設定であってもよいし、ドラム式洗濯乾燥機の出荷後に例えばインターネットを介して設定されたふろ水設定であってもよい。
【０１１９】
上記ステップＳ７５１では、ナビキー３０９の操作があったか否かを判定する。このステップＳ７５１で、ナビキー３０９の操作があったと判定されると、図２４のステップＳ１２０に進む一方、ナビキー３０９の操作がないと判定されると、図３０のステップＳ７０１に戻る。
【０１２０】
上記ステップＳ１２２からステップＳ８０１に進んだ場合、まず、図３１に示すように、ステップＳ８０１で、ダウンキー３１９またはアップキー３２０の操作により、メーカー推奨の乾燥時間が時間等表示部３２９に表示された状態で、予め設定された時間(例えば３秒)が経過したか否かを判定する。このステップＳ８０１で、ダウンキー３１９またはアップキー３２０の操作により、メーカー推奨の乾燥時間が時間等表示部３２９に表示された状態で、予め設定された時間が経過したと判定されると、図２４のステップＳ１２４に進む一方、その状態で、上記予め設定された時間が経過していないと判定されると、図３１のステップＳ８５１に進む。なお、メーカー推奨の乾燥時間は、ドラム式洗濯乾燥機の製造時に予め設定された乾燥時間であってもよいし、ドラム式洗濯乾燥機の出荷後に例えばインターネットを介して設定された乾燥時間であってもよい。
【０１２１】
上記ステップＳ８５１では、ナビキー３０９の操作があったか否かを判定する。このステップＳ８５１で、ナビキー３０９の操作があったと判定されると、図２４のステップＳ１２４に進む一方、ナビキー３０９の操作がないと判定されると、図３１のステップＳ８０１に戻る。
【０１２２】
図１９〜図３１のフローチャートを使って説明した表示制御は、操作キー表示制御部４００ａによる操作キーの表示の順序がデフォルトのときのものであるが、この操作キーの表示の順序は変更できると共に、操作キーに対応する設定値(例えば操作キーが洗い方キーであれば、リフレッシュなど)を事前に登録しておくことができる。
【０１２３】
以下、図３２のフローチャートにしたがって、操作キーの表示の順序の変更と、操作キーに対応する設定値の事前の登録とについて説明する。
【０１２４】
まず、ステップＳ９０１で、ナビキー３０９の長押しがあったか否かを判定する。このステップＳ９０１で、ナビキー３０９の長押しがあったと判定するとステップＳ９０２に進む一方、ナビキー３０９の長押しがあったと判定されると、再び、ステップＳ９０１を行う。ここで、ナビキー３０９の長押しとは、ナビキー３０９を予め設定された時間(例えば３秒)タッチまたは押し続けることを意味する。
【０１２５】
次に、ステップＳ９０２で、表示部３０６に全ての操作キーを表示させる。すなわち、表示部３０６の表示状態を図４に示すようにする。
【０１２６】
次に、ステップＳ９０３で、ナビキー３０９以外の操作キーの操作があったか否かを判定する。このステップＳ９０３で、操作キーの操作があったと判定すると、ステップＳ９０４に進む一方、操作キーの操作がないと判定すると、再び、ステップＳ９０３に行う。
【０１２７】
次に、ステップＳ９０４で、ナビキー３０９の操作があったか否かを判定する。このステップＳ１５１で、ナビキー３０９の操作があったと判定されると、ステップＳ９０５に進む一方、ナビキー３０９の操作がないと判定されると、ステップＳ９０３に戻る。
【０１２８】
次に、ステップＳ９０５で、操作された操作キーと設定値を保持する。より詳しくは、操作された操作キー(例えば使い方キー３０７)と、その操作キーで設定された設定値(例えばリフレッシュ)を保持する。
【０１２９】
次に、ステップＳ９０６で、スタート一時停止スイッチ３０３の操作があったか否かを判定する。このステップＳ９０６で、スタート一時停止スイッチ３０３の操作があったと判定すると、ステップＳ９０７に進む一方、スタート一時停止スイッチ３０３の操作がないと判定すると、ステップＳ９０３に戻る。
【０１３０】
最後に、ステップＳ９０７で、保持した情報を登録する。より詳しくは、ステップＳ９０５で保持された操作キーおよび設定値を、保持した順番と共に、記憶装置４００のＲＡＭに記憶させる。
【０１３１】
その結果、ナビキー３０９の操作により、ステップＳ９０６で保持した順番で、つまり、ユーザーが設定した順番で、操作キーが表示部３０６に表示される。したがって、上記操作キーの操作案内をユーザーにあったものにして、使い勝手を向上させることができる。
【０１３２】
例えば、ユーザーが、洗い時間、すすぎ回数、脱水時間を自分の好みで設定し、さらに、ふろ水ポンプの動作設定を行いたい場合、最初に脱水時間を設定した後、洗い時間およびすすぎ回数を設定することなく、ふろ水設定を行おうとしても、ふろ水キーを受け付けつけないなど、操作順序により、操作キーの操作に制限がかかることがあるが、このような制限がかからないようにすることができる。
【０１３３】
また、仮に、高齢者の要望を聞いた人が操作キーの設定を、操作キーの表示の順序と、操作キーに対応する設定値を事前に登録しておけば、高齢者が自動運転しか使えない状況を解消することができる。
【０１３４】
また、ユーザーが設定した順番で、操作キーが表示部３０６に表示されるとき、操作キーに対応する設定値が登録されていれば、その設定値も表示部３０６に表示される。したがって、ユーザーは、その設定値を参考にして、操作キーを操作することができる。したがって、ユーザーは洗い工程などを適切に設定することが可能になる。
【０１３５】
上記実施形態では、ドラム式洗濯乾燥機に本発明を適用していたが、縦型洗濯乾燥機に本発明を適用したり、乾燥機能を有さないドラム式洗濯機または縦型洗濯機に適用してもよい。
【０１３６】
上記実施形態では、ナビキー３０９の長押しすることで、操作キーに対応する設定値を事前に登録していたが、ユーザーが前回した設定した設定値を制御装置４００のＲＡＭに記憶させておき、その設定値が次回の操作時に表示部３０６に表示されるようにしてもよい。具体的に言うと、例えば、図６〜図１８を使って説明した操作を行って洗濯をすれば、次回に、ステップＳ１０１のナビキー３０９の操作を行うと、図８〜図１８で設定した設定値が表示部３０６に自動的に表示されるようにしてもよい。
【０１３７】
上記実施形態では、操作キー表示制御部４００ａおよび情報記憶部４００ｂは、ソフトウェアで構成したが、スイッチ、タイマ、比較器、および増幅器等のハードウェアで構成してもよい。
【０１３８】
上記実施形態では、ナビキー３０９を表示順序変更手段および順次表示開始手段の一例にしていたが、ナビキー３０９を表示順序変更手段および順次表示開始手段の一方だけの一例としてもよい。このようにする場合、表示順序変更手段および順次表示開始手段の他方の一例となる操作キーを操作パネル３００に設けてもよい。
【０１３９】
本発明の具体的な一実施形態について説明したが、本発明は上記実施形態に限定されるものではなく、本発明の範囲内で種々変更して実施することができる。例えば、上記実施形態と上述の変形例とを適宜組み合わせたものを本発明の一実施形態としてもよい。
【符号の説明】
【０１４０】
１０１  外箱
１０２  ドア
１０３  水槽
１０４  回転ドラム
３００  操作パネル
３０７  使い方キー
３０８  コースキー
３０９  ナビキー
３１０  予約キー
３１１  ふろ水キー
３１２  除菌・防臭キー
３１３  槽クリーンキー
３１４  すすぎ１回キー
３１５  洗いキー
３１６  すすぎキー
３１７  脱水キー
３１８  乾燥キー
３１９  ダウンキー
３２０  アップキー
４００  制御装置
４００ａ  操作キー表示制御部
４００ｂ  情報記憶部
【図１】
2014079326.tif 000003
【図２】
2014079326.tif 000004
【図３】
2014079326.tif 000005
【図４】
2014079326.tif 000006
【図５】
2014079326.tif 000007
【図６】
2014079326.tif 000008
【図７】
2014079326.tif 000009
【図８】
2014079326.tif 000010
【図９】
2014079326.tif 000011
【図１０】
2014079326.tif 000012
【図１１】
2014079326.tif 000013
【図１２】
2014079326.tif 000014
【図１３】
2014079326.tif 000015
【図１４】
2014079326.tif 000016
【図１５】
2014079326.tif 000017
【図１６】
2014079326.tif 000018
【図１７】
2014079326.tif 000019
【図１８】
2014079326.tif 000020
【図１９】
2014079326.tif 000021
【図２０】
2014079326.tif 000022
【図２１】
2014079326.tif 000023
【図２２】
2014079326.tif 000024
【図２３】
2014079326.tif 000025
【図２４】
2014079326.tif 000026
【図２５】
2014079326.tif 000027
【図２６】
2014079326.tif 000028
【図２７】
2014079326.tif 000029
【図２８】
2014079326.tif 000030
【図２９】
2014079326.tif 000031
【図３０】
2014079326.tif 000032
【図３１】
2014079326.tif 000033
【図３２】
2014079326.tif 000034